(57)【要約】【課題】スタンプ用シート自体にスタンプ捺印時の捺印ガイド機能を付与して、捺印ガイド部材を不要としたスタンプ用シート体を提供する。【解決手段】シート枠内に窓孔を備えた捺印ガイドシート２と、前記捺印ガイドシート２の一端に第１折曲線を介して連設し、前記捺印ガイドシート２の裏面に重ね合わせるスタンプシート１と前記一端と対向する他の一端で、前記捺印ガイドシート２と第２折曲線を介して連設し、前記スタンプシート１の裏面に重ね合わせる背面シート３とを備えるスタンプ用シート体であって、前記第１、第２折曲線を折り曲げて、前記捺印ガイドシート２と前記スタンプシート本体１と、前記背面シート３とをこの順に重ね合わせた際に、前記捺印ガイドシート２が、凸状の湾曲を形成し、前記スタンプシート表面から離間するように形成する。【選択図】図１
2020006516.tif 000002
【特許請求の範囲】
【請求項１】
シート枠内に窓孔を備えた捺印ガイドシートと、
前記捺印ガイドシートの一端に第１折曲線を介して連設し、前記捺印ガイドシートの裏面に重ね合わせるスタンプシートと
前記一端と対向する他の一端で、前記捺印ガイドシートと第２折曲線を介して連設し、前記スタンプシートの裏面に重ね合わせる背面シートを備えるスタンプ用シートであって、
前記第１、第２折曲線を折り曲げて、前記捺印ガイドシートと前記スタンプシートと、前記背面シートとをこの順に重ね合わせた際に、前記捺印ガイドシートが凸状の湾曲を形成し、前記スタンプシート表面から離間させた構成としたことを特徴とするスタンプ用シート体。
【請求項２】
前記捺印ガイドシートの連設方向の長さが、前記スタンプシートの連設方向の長さより長く形成してある請求項１のスタンプ用シート体。
【請求項３】
重ね捺しに用いる請求項１又は２に記載のスタンプ用シート体。
【請求項４】
請求項１又は２に記載のスタンプ用シート体の前記背面シートの先端辺に第３折曲線を介して連設した底面部を備え、
前記底面部の先端側と前記第１折曲線を連結させてなることを特徴とするスタンドフレーム。
【請求項５】
前記連結の手段が、
前記底面部先端中央に舌片と、前記第１折曲線近傍に開口部を設け、
前記舌片と開口部を係合して連結させてなることを特徴とする請求項４に記載のスタンドフレーム。
【発明の詳細な説明】
【技術分野】
【０００１】
本発明は、台紙の所定位置に正確に捺印するスタンプ用シート体および絵柄を色彩の異なるパーツに分けた複数のスタンプを重ね捺しして、版画のような彩色画を完成させる重ね捺しスタンプ用シート体とこのスタンプ用シート体を利用してスタンプ画を展示できるスタンドフレームに関するものである。
【背景技術】
【０００２】
スタンプを台紙に捺印する際に、捺印印影を所定の位置に正確に押印したい場合、枠付きの捺印ガイド部材を用いる。枠付きの捺印ガイド部材(特許文献１)は、Ｌ字形状の平板に捺印ガイド枠を立設してなり、台紙の上に前記捺印ガイド部材をセットし、捺印ガイド部材のガイド枠にスタンプ本体を押し当てて、捺印位置の調整を行うものである。
【０００３】
複数のスタンプを重ね捺しする場合には、各スタンプが台紙に対して所定の位置に捺すことができるようにするため、台紙に対して夫々のスタンプを合わせる必要がある。
【０００４】
前記の位置合わせするために使用する捺印ガイド部材として、本出願人が製造・販売に係るスタンプラリー重ね捺し専用ガイド（非特許文献１）がある。これは、図９に示すように台紙（イ）をセットする台紙載置部100の周縁に捺印ガイド枠101を立設してなり、また、前記捺印ガイド枠101の下端内面に台紙（イ）を固定する横溝部102を設けたものであり、前記捺印ガイド枠101の一辺101aの下端に横溝部102と連通する台紙差込用のスリット103を形成して、前記一辺101aの中央部を切欠して台紙取外部104をとしたものである。
【先行技術文献】
【特許文献】
【０００５】
【特許文献１】実開昭５４-１３６０１４号公報
【非特許文献】
【０００６】
【非特許文献１】「重ね捺しスタンプラリー -商品-Shachihata Stanmprally[シヤチハタスタンプラリー]、〔平成３０年６月２０日（2018/06/20）検索、インターネット＜ＵＲＬ：https://www.shachihata.co.jp/stamprally_service/product/overlaid_stamped.html＞
【発明の概要】
【発明が解決しようとする課題】
【０００７】
前記したように、特許文献1の捺印ガイド部材は、Ｌ字形状の平板に捺印ガイド枠を立設してなり、台紙の上に前記スタンプガイドをセットし、スタンプガイドのガイド枠にスタンプ本体を押し当てて、捺印位置の調整を行うものである。
【０００８】
しかし、前記スタンプガイド部材は、捺印台紙とは別に用意しなくてはならず、また、捺印位置を合わせる為に人の手で捺印ガイド枠の置き位置を調整しなくてはならなかった。
【０００９】
また、前記した非特許文献１の捺印ガイド部材は、台紙載置部100に台紙（イ）をセットする。そして、その上からスタンプ（ロ）を捺印ガイド枠101にガイドさせながら捺印を行う。これにより、捺印ガイド部材にセットした台紙（イ）は複数のスタンプを重ね捺しても位置ずれすることなく多色刷りの版画のような彩色画を完成できるものである。
【００１０】
しかし、スタンプラリーのように、多くのスタンプ設置箇所を巡り各箇所で図柄の一つのパーツのスタンプを捺印するものにあっては、参加者が捺印ガイド部材を用意することは期待できず、スタンプ設置箇所に備えておくこととなり、そのため捺印ガイド部材への台紙のセット及び、捺印後の取外しを行う必要があり時間が掛かるという問題がある。
【００１１】
本発明はスタンプ用シート体にスタンプ捺印時の捺印ガイド機能を付与して、捺印ガイド部材を不要としたスタンプ用シート体を提供することにある。また、これを利用して完成された画を展示できるスタンドフレームとなるようにも構成したものである。
【課題を解決するための手段】
【００１２】
本発明に係るスタンプ用シート体は、シート枠内に窓孔を備えた捺印ガイドシートと、前記捺印ガイドシートの一端に第１折曲線を介して連設し、前記捺印ガイドシートの裏面に重ね合わせるスタンプシートと前記一端と対向する他の一端で、前記捺印ガイドシートと第２折曲線を介して連設し、前記スタンプシートの裏面に重ね合わせる背面シートとを備えるスタンプ用シートであって、前記第１及び第２折曲線を折り曲げて、前記捺印ガイドシートと前記スタンプシートと、前記背面シートとをこの順に重ね合わせた際に、前記捺印ガイドシートが、凸状の湾曲を形成し、前記スタンプシート表面から離間することを特徴とするものである。
【００１３】
前記捺印ガイドシートの連設方向の長さが、前記スタンプシートの連設方向の長さより長く形成してあることが好ましい。
【００１４】
また、前記のスタンプ用シート体は、重ね捺し用に用いることができる。
【００１５】
また、前記した背面シートの先端辺に第３折曲線を介して連設した底面部を備え、前記底面部の先端側と前記第１折曲線に連結させることでスタンドフレームとすることが出来る。
【００１６】
また、前記スタンドフレームの前記連結の手段は、前記底面部先端中央に舌片と、第１折曲線近傍に開口部を設け、前記舌片と開口部を係合することであることが好ましい。
【発明の効果】
【００１７】
本発明のスタンプ用シート体は、捺印ガイドシートがスタンプシートから凸状の湾曲となるように構成してあり、前記捺印ガイドシートが、前記スタンプシートの被捺印面となる表面から離間するものであるから、スタンプを被捺印面に捺印する際に捺印ガイド窓孔がスタンプをガイドして、被捺印面の所定位置に捺印できるものである。
【００１８】
前記捺印ガイドシートの連設方向の長さを、前記スタンプシートの連設方向の長さより長く形成することで、容易に前記の捺印ガイドシートに凸状の湾曲を形成させることができる為、特殊な加工紙を使うことなく、例えば厚紙などの安価なシートを用いることが出来る。
【００１９】
前記したように被捺印面の所定位置に捺印できるものであるから、絵柄を色彩の異なるパーツに分けた複数のスタンプを重ね捺しして、版画のような彩色画を完成させるスタンプラリーにあっては、分散した多くのスタンプ設置箇所を巡り各箇所で絵柄を構成する一つのパーツのスタンプを捺印して被捺印面の所定の位置に各スタンプを重ね捺しできるものである。
【００２０】
しかも、本発明のスタンプ用シート体は、前記した構成であるから、構造が簡単で嵩張ることのないもので、スタンプ設置箇所を巡る際に持ち運びが容易である。また、スタンプ設置箇所に捺印ガイド部材を備えることを不要とするものでもある。また、スタンプによる捺印は被捺印面の上方にスタンプシートと一体とした捺印ガイドシートの捺印ガイド窓孔から行うので、台紙の捺印ガイド部材へのセット及び取り外しが不要であり速やかにスタンプの捺印ができるものである。
【００２１】
また、前記した背面シートの先端辺に第３折曲線を介して連設した底面部を備え、前記底面部の先端側と前記第1折曲線に連結させてスタンドフレームとしたものは、前記スタンプを重ね捺して完成された図柄を展示できるものである。この場合、前記捺印ガイドシートがスタンプシートから凸状の湾曲となるようにされているので、前記捺印ガイドシートは立体感のある額縁を呈するものとなる。
【００２２】
また、このスタンドフレームの連結手段が、前記底面部先端中央に舌片と、折曲線近傍に開口部を設け、前記舌片と開口部を係合することであること特徴とするものである為、接着テープを不要として、組み立てが容易なものとなる。
【図面の簡単な説明】
【００２３】
【図１】本発明の実施形態を示す一部切欠斜視図である。
【図２】本発明の実施形態を示す側面図である。
【図３】本発明の実施形態をスタンプの捺印状態により示す一部切欠側面図である。
【図４】本発明の実施形態をスタンプの捺印工程の一例により示す斜視図である。
【図５】本発明の実施形態を展開した状態により示す正面図である。
【図６】本発明の実施形態を展開した状態から折り畳み第１工程により示す一部切欠正面図である。
【図７】本発明の実施形態を展開した状態から折り畳み第２工程により示す一部切欠正面図である。
【図８】本発明の実施形態をスタンドフレームとした使用状態により示す斜視図である。
【図９】従来例を示す一部切欠斜視図である。
【発明を実施するための形態】
【００２４】
本発明に係るスタンプ用シート体及びこれを利用したスタンドフレームの好ましい実施の形態を図面に基づき説明する。
【００２５】
図１において、１は厚紙よりなる四角形のスタンプシートである。このスタンプシート１の４辺の任意の１辺には捺印ガイドシート２が第１折曲線１１を介して前記スタンプシート１の被捺印面となる表面１ａに折り重なるように連設されている。
【００２６】
本発明のスタンプシート１は、厚紙に限られず、薄手の折紙、樹脂シート、特殊加工紙など、折曲線を折り曲げて、前記捺印ガイドシート２と前記スタンプシート１と、後記する背面シート３とをこの順に重ね合わせた際に、前記捺印ガイドシート２が、凸状の湾曲を形成し、前記スタンプシート１表面から離間するものであれば、特に限定されない。
【００２７】
また、本発明のスタンプシート１は、四角形に限られず、四角形の角をまるく切り落とした略矩形、両端辺たる折曲線の長さを異ならせた台形など幾多の形態が考えられる。
【００２８】
また、前記捺印ガイドシート２の第１折曲線１１と対向する辺に第２折曲線２１を介して前記スタンプシート１の裏面１ｂを覆うように背面シート３が連設してある。
【００２９】
すなわち、前記スタンプシート体の構成は、第１折曲線１１、第２折曲線２１を折り曲げて、前記捺印ガイドシート２と、前記スタンプシート１と、前記背面シート３とをこの順に重ねあわせて形成されているものである。
【００３０】
さらに、図５の展開した状態を示す正面図に示すように前記捺印ガイドシート２の連設方向の長さ（Ｌ１）を前記スタンプシート１の長さ（Ｌ２）より長く形成してある。
【００３１】
連設方向とは、スタンプ用シート体を形成する、スタンプシート１、捺印ガイドシート２、背面シート３が並んでいる方向をいい、具体的には、折曲線に対し垂直となる方向をいう。
連設方向の長さＬ１とは、捺印ガイドシートの一端である第１折曲線１１から対向する他端である第２折曲線２１までを垂直に結んだ直線距離をいい、連設方向の長さＬ２とは、スタンプシート１の一端である第２折曲線２１から対向する他端であるスタンプシート先端辺４１までを垂直に結んだ直線距離をいう。
【００３２】
スタンプシート１の先端辺４１と捺印ガイドシート２の一端２１とを合わせるよう第１折曲線１１を折曲げ、背面シート３を第２折曲線２１でスタンプシート１の裏面に重ね合わせるように折曲げると、前記捺印ガイドシート２は連設方向の長さＬ１は、長さＬ２と比較し長いため捺印ガイドシート２の面とスタンプシート１表面とは、全面が密着せず、捺印ガイドシート２及び捺印ガイド窓孔２ａが表側に凸状に湾曲することとなる。
【００３３】
これにより、図３に示すように、スタンプ(ロ)をスタンプシート１の被捺印面となる表面１ａに捺印する際に捺印ガイド窓孔２ａがスタンプをガイドして、被捺印面の所定位置に捺印できるものである。
【００３４】
また、このようにスタンプ(ロ)を被捺印面の所定位置に捺印できるものであるから、スタンプラリーのように、多くのスタンプ設置箇所を巡り各箇所で絵柄を構成する例えば図４に示す一つのパーツのスタンプ(ロ)を始め他のパーツのスタンプを捺印して図８に示すような版画のような彩色画を完成させるものであっても、本発明のスタンプ用シート体を持ってスタンプ設置箇所を巡れば、捺印ガイド窓孔２ａと同一規格のスタンプを設置してあれば被捺印面の所定位置に各スタンプを重ね捺しできるものである。
【００３５】
しかも、本発明のスタンプ用シート体は、前記したような構成としたものであるから、構造が簡単で嵩張ることのないものであり、持ち運びが容易である。また、スタンプ設置箇所に捺印ガイド部材を備えることを不要とするものであり、スタンプによる捺印は被捺印面の上方にスタンプシート１と一体とした捺印ガイドシート２の捺印ガイド窓孔２ａから行うだけなので、台紙を捺印ガイド部材へのセット及び取り外しが不要であり速やかにスタンプの捺印ができるものである。
【００３６】
また、前記したスタンプ用シート体の背面シート３の先端辺に第３折曲線３１を介して底板部４を設け、該底板部４の先端を折り重ねた前記スタンプシート１と捺印ガイドシート２との第１折曲線１１による折曲部に連結して、図８に示す側面視三角形状のスタンドフレームとすることができ、スタンプを重ね捺して完成された版画のような彩色画を展示できるものである。この場合、前記捺印ガイドシート２がスタンプシート体１から凸状の湾曲となるように構成しているので、前記捺印ガイドシート２は立体感のある額縁を呈するものとなる。
【００３７】
また、前記スタンドフレームは、前記底板部４の先端を折り重ねた前記スタンプシート１と捺印ガイドシート２の折曲部に連結する手段を、該底板部４の先端中央に先細台形状の舌片５を基端両側に抜け止め用の楔状切欠部５ａ、５ａを備えて連設して、他方折り重ねた前記スタンプシート１と捺印ガイドシート２の折曲部の中央にコ字状の切込線６ａにより開口部６を形成して前記舌片５を係止させるものである。なお、前記開口部６は他方折り重ねた前記スタンプシート体１と捺印ガイドシート２の境の辺を折曲することによりコ字状の切込線６ａにより形成されるものである。
【００３８】
また、本発明のスタンプ用シート体及びスタンドフレームは、図５に示す展開した状態の素板を作成して、図６、図７の工程で折りたためば容易に作成できるものである。
【００３９】
なお、本発明におけるスタンプ用シート体は、折りたたんでスタンドフレームとして使用することが出来るが、スタンプ用シート体の第１折曲線１１と第２折曲線２１を切り取ってスタンプシート２を取り出し、ポストカードやイラストカードとして利用することも出来る。
【符号の説明】
【００４０】
１  スタンプシート
11  第１折曲線
２  捺印ガイドシート
21  第２折曲線
３  背面シート
31  第３折曲線
４  底板部
５  舌片
６  開口部
41  先端辺
【図１】
2020006516.tif 000003
【図２】
2020006516.tif 000004
【図３】
2020006516.tif 000005
【図４】
2020006516.tif 000006
【図５】
2020006516.tif 000007
【図６】
2020006516.tif 000008
【図７】
2020006516.tif 000009
【図８】
2020006516.tif 000010
【図９】
2020006516.tif 000011